(57)【特許請求の範囲】
【請求項１】
車の進入路と給油エリアと退出路とが前面に形成されたアイランドが複数設けられ、各アイランドの給油エリアに面する位置に計量機が設けられた給油所の案内装置において、
前記給油エリアに停車している自動車を検知する車検知器を設け、前記計量機の給油料金の精算一定時間後も前記車検知器から車検知信号が入力し続けていると退車案内信号を出力する報知制御装置を設け、該退車案内信号を受けて退車案内をする発音器を設けたことを特徴とする給油所用の案内装置。
【発明の詳細な説明】
【０００１】
【発明の属する技術分野】
本発明は、自動車へ燃料油を給油する給油所用の案内装置に関するものである。
【０００２】
【従来の技術】
給油所で給油をするには、顧客は自動車を計量機の前の給油エリアに停車し、給油所の作業員へ油種及び給油量などを告げ、作業員は計量機から給油ノズルを外して給油をする。そして、給油が終わったならば給油ノズルを計量機へ戻し、顧客は給油量の精算をして退車する。
【０００３】
【発明が解決しようとする課題】
従来の給油所は、給油や整備などの自動車関連の作業だけであったが、近年、コンビニエンスストアを併設した給油所が開設されつつある。このようにコンビニエンスストアを併設すると、給油料金の精算が済んだ後に、給油エリアに自動車を停車したままでコンビニエンスストアで買い物をし、給油所の営業効率が低下させる虞がある。そこで本発明は、給油料金の精算が済んだ後に、給油エリアを占拠している自動車の顧客へ、退車を促すようにした給油所用の案内装置を提供することである。
【０００４】
【課題を解決するための手段】
上記目的を達成するために、本発明は、車の進入路と給油エリアと退出路とが前面に形成されたアイランドが複数設けられ、各アイランドの給油エリアに面する位置に計量機が設けられた給油所の案内装置において、前記給油エリアに停車している自動車を検知する車検知器を設け、前記計量機の給油料金の精算一定時間後も前記車検知器から車検知信号が入力し続けていると退車案内信号を出力する報知制御装置を設け、該退車案内信号を受けて退車案内をする発音器を設けている。このように、給油料金の精算が終わってから一定時間経過しても給油エリアを自動車が占拠し続けている場合は、退車案内がされるので、給油エリアを長い間占拠されることがなくなり、給油所の営業効率が向上する。
【０００５】
【発明の実施の形態】
以下、本発明の実施の形態を説明する。図１、２に示すように、自動車に燃料油を給油する給油所Ｓには複数のアイランドＭ、Ｍが設けられ、このアイランドＭの前面には進入路１と、進入路１に連接した給油エリア２と、給油エリア２に連接した退出路３とが形成されている。アイランドＭの給油エリア２に面した位置には計量機４が設けられ、退出路３に面した位置には走行可否表示機５が設けられている。一方、コンビニエンスストアが併設された建屋Ｔ内にはＰＯＳ６と発音器７が設けられ、建屋Ｔの外壁等のように各給油エリア２から見える位置に第一の給油状態報知器８が設けられている。また、各計量機４の上には第二の給油状態報知器９が設けられ、アイランドＭには給油エリア２に停車した自動車を検知する車検知器１０が設けられている。そして、上述した各機器４、５、６、７、８、９、１０は信号線１１で接続されている。
【０００６】
アイランドＭの給油エリア２に面した位置に設けられた計量機４には、レギュラガソリンとハイオクガソリンと軽油の３油種の給油系統が組み込まれている。各油種の給油系統の給油管４ａには、ポンプ４ｂ及び流量計４ｃが介装され、給油管４ａには先端に給油ノズル４ｄを取り付けた給油ホース４ｅが接続され、給油ノズル４ｄのノズル掛け４ｆには給油ノズル４ｄの掛け外しを検知するノズルスイッチ４ｇが設けられ、上部には給油量表示器４ｈが設けられている。そして、計量機４の制御部４ｉは、ノズルスイッチ４ｇからノズル外し信号を受けて給油量表示器４ｈに表示されていた前回の給油量を帰零し、ポンプ４ｂを駆動し、給油開始信号をＰＯＳ６へ出力する。給油中は流量計４ｃからの流量信号を演算し、演算された給油量を給油量表示器４ｈに表示し、流量信号を屋内端末機６へ出力する。給油が終了してノズルスイッチ４ｇからノズル掛け信号を受け、ポンプ４ｂの駆動を停止し、給油終了信号をＰＯＳ６へ出力するようになっている。
【０００７】
アイランドＭの退出路３に面した位置に設けられている走行可否表示機５は、アイランドＭに植設された支柱５ａと、この支柱５ａの上部に取り付けられた表示体５ｂとより構成されている。そして、ＰＯＳ６から走行不可信号が入力すると表示体５ｂを水平の走行不可位置へ回動し、走行可信号が入力すると表示体５ｂを垂下した走行可位置へ回動するようになっている。
【０００８】
建屋Ｔ内に設けられているＰＯＳ６は、キーボード６ａと表示器６ｂとプリンタ６ｃなどを有し、ＰＯＳ６の報知制御装置６ｄは、車検知器１０から車検知信号を受けて、第一の作業報知信号を第一第二の給油状態報知器８、９へ出力し、走行不可信号を走行可否表示機５へ出力する。そして、計量機４から給油開始信号を受けて給油中表示信号を第一第二の給油状態報知器８、９へ出力し、計量機４から入力する流量信号が停止したときに第二の作業報知信号を第一第二の給油状態報知器８、９へ出力する。また、給油終了信号を受けて報知停止信号を第一第二の給油状態報知器８、９へ出力し、計量機４の給油料金の精算が終了すると、走行可信号を走行可否表示機５へ出力し、精算が終了してから一定時間、例えば３分経過しても車検知器１０から車検知信号が入力し続けている場合に退車案内信号を第二の給油状態報知器９と発音器７へ出力するようになっている。
【０００９】
建屋Ｔ内のコンビニエンスストアに設けられている発音器７は、ＰＯＳ６から退車案内信号を受けて、「何番計量機で給油をしたお客様は車の移動をお願いいたします」と放送をする。
【００１０】
建屋Ｔの外壁等に設けられている第一の給油状態報知器８のケース８ａの前面には、計量機番号８ｂが記され、この計量機番号８ｂに対応して表示灯８ｃが設けられ、さらに発音器８ｄが設けられている。そして、ＰＯＳ６から第一第二の作業報知信号を受けて該当する計量機番号８ｂの表示灯８ｃを点滅し、この計量機特有の音を発音器８ｄより発し、給油中表示信号を受けて表示灯８ｃを点灯し、報知停止信号を受けて表示灯８ｃを消灯するようになっている。
【００１１】
計量機４の上に設けられている第二の給油状態報知器９には、表示灯９ａと発音器９ｂが設けられている。そして、ＰＯＳ６から第一の作業報知信号を受けて表示灯９ａを点滅して発音器９ｂから「いらっしゃいませ」等の挨拶を発声し、給油中表示信号を受けて表示灯９ａを点灯し、第二の作業報知信号を受けて表示灯９ａを点滅して発音器９ｂから「しばらくお待ち下さい」等の挨拶を発声し、報知停止信号を受けて表示灯９ａを消灯し、退車案内信号を受けて表示灯９ａを点滅して発音器９ｂから「速やかに退車して下さい」等の挨拶を発声するようになっている。
【００１２】
次に図３に示す報知制御装置６ｄのフロー図に基づいて動作を説明する。給油エリア２に給油中の自動車がいないときは、走行可否表示機５の表示体５ｂは垂下して退出路３側から引っ込んだ位置にあり、第一第二の給油状態報知器８、９の表示灯８ｃ、９ａは消灯している。給油に来た顧客は、このように空いている進入路１より自動車を走行して給油エリア２に停車すると、車検知信号が車検知器１０からＰＯＳ６へ出力する。
【００１３】
車検知器１０から車検知信号を受けたＰＯＳ６の報知制御装置６ｄは（ＳＴ１）、第一の作業報知信号を第一第二の給油状態報知器８、９へ出力し、走行不可信号を走行可否表示機５へ出力する（ＳＴ２）。第一の作業報知信号を受けた給油状態報知器８は、この計量機４の表示灯８ｃを点滅し、この計量機４特有の音、例えばメロディを発音器８ｄより発し、給油状態報知器９は、表示灯９ａを点滅し、例えば「いらっしゃいませ」等の挨拶を発音器９ｂより発声する。そして、走行不可信号を受けた走行可否表示機５は表示体５ｂを水平の走行不可位置まで回動する。
【００１４】
このように第一第二の給油状態報知器８、９の表示灯８ｃ、９ａの点滅と、発音器８ｄ、９ｂの発声で、作業員はこの計量機４が給油作業を要求していることが分かり、直ちに計量機４のところへ行くことができる。そして、走行可否表示機５の表示体５ｂが退出路３側に突出するので、給油中に間違えて自動車を発車させることがなくなる。
【００１５】
そして、作業員が給油ノズル４ｄをノズル掛け４ｆから外し、ノズルスイッチ４ｇが閉じると、給油量表示器４ｈに表示されていた前回の給油量が帰零され、ポンプ４ｂが駆動され、ＰＯＳ６へ給油開始信号が出力される。そして、給油ノズル４ｄを自動車の給油口へ挿入し、バルブを開いて給油を始め、作業員は他の計量機の給油作業をする。給油中は流量計４ｃで計量された給油量は給油量表示器４ｈに表示され、流量計４ｃからの流量信号はＰＯＳ６へ出力される。
【００１６】
一方、ＰＯＳ６は給油開始信号を受けて計量機４の給油データの管理を開始し、報知制御装置６ｄは給油開始信号を受けて（ＳＴ３）、第一第二の給油状態報知器８、９へ計量機４の給油中表示信号を出力する（ＳＴ４）。給油中表示信号を受けた第一第二の給油状態報知器８、９は点滅していた表示灯８ｃ、９ａを点灯へ変える。
【００１７】
このようにして給油が進み、自動車の燃料タンクが満タンになり、液面を検知して給油が停止し、計量機４からＰＯＳ６への流量信号の入力が停止すると（ＳＴ５）、ＰＯＳ６の報知制御装置６ｄは、第二の作業報知信号を第一第二の給油状態報知器８、９へ出力する（ＳＴ６）。第二の作業要求信号を受けた給油状態報知器８は、点灯していた表示灯８ｃを点滅へ変え、発音器８ｄより特有のメロディを発し、給油状態報知器９は、点灯していた表示灯９ａを点滅へ変え、発音器９ｂより「しばらくお待ち下さい」等の挨拶を発声する。このように第一第二の給油状態報知器８、９の表示灯８ｃ、９ａが点滅し、発音器８ｄ、９ｂが発声するので、作業員が給油中に他の作業をしていても、給油が停止して給油終了作業を要求していることを知ることができる。
【００１８】
作業員は第一第二の給油状態報知器８、９で報知された計量機４のところへ行き、自動車の給油口より給油ノズル４ｄを抜いてノズル掛け４ｆに掛け、作業員は他の計量機の給油作業をする。ノズルスイッチ４ｇが閉じると、ポンプ４ｂの駆動は停止し、給油終了信号がＰＯＳ６へ出力される。
【００１９】
そして、ＰＯＳ６の報知制御装置６ｄは給油終了信号を受けて（ＳＴ７）、第一第二の給油状態報知器８、９へ報知停止信号を出力する（ＳＴ８）。報知停止信号を受けた第一第二の給油状態報知器８、９は、表示灯８ｃ、９ａを消灯する。
【００２０】
給油が終わった顧客は建屋Ｔ内の事務所に行き、給油料金の精算をする。事務員がＰＯＳ６を操作して、プリンタ６ｃより給油伝票を発行して精算が終了すると（ＳＴ９）、ＰＯＳ６の報知制御装置６ｄは、走行可否表示機５へ走行可信号を出力する（ＳＴ１０）。走行可信号を受けた走行可否表示機５は、表示体５ｂを水平の走行不可位置から垂下した走行可位置まで移動する。このように精算が終わると、走行可否表示機５の表示体５ｂが走行可位置へ移動するので、精算をしないで出車されることが防止できる。
【００２１】
そして自動車が退車し、車検知器１０から入力していた車検知信号が停止すると（ＳＴ１１）、この自動車に関する報知の制御を終える。
【００２２】
このようにして通常の自動車は退車するが、給油エリア２に自動車を停車したままで建屋Ｔのコンビニなどで買い物をした場合は、車検知器１０から車検知信号が入力し続け、一定時間、例えば３分経過すると（ＳＴ１２）、報知制御装置６ｄは退車案内信号を発音器７及び第二の給油状態報知器９へ出力する（ＳＴ１３）。退車案内信号を受けたコンビニエンスストア内の発音器７は「何番計量機で給油をしたお客様は車の移動をお願いいたします」と放送し、第二の給油状態報知器９は、表示灯９ａを点滅し、発音器９ｂより「速やかに退車して下さい」と発声する。このようにコンビニエンスストア内の発音器７の発声と、第二の給油状態報知器９の表示灯９ａが点滅し、発音器９ｂが発声するので、顧客は何処にいても聞くことができ、速やかに自動車を移動し、給油所の営業効率の低下することを防止できる。
【００２３】
そして自動車が退車し、車検知器１０から入力していた車検知信号が停止すると（ＳＴ１４）、報知制御装置６ｄは報知停止信号を発音器７と第二の給油状態報知器９へ出力し（ＳＴ１５）、発音器７及び第二の給油状態報知器９の報知は停止して、この自動車に関する報知の制御を終える。
【００２４】
【発明の効果】
以上説明したように本発明は、車の進入路と給油エリアと退出路とが前面に形成されたアイランドが複数設けられ、各アイランドの給油エリアに面する位置に計量機が設けられた給油所の案内装置において、前記給油エリアに停車している自動車を検知する車検知器を設け、前記計量機の給油料金の精算一定時間後も前記車検知器から車検知信号が入力し続けていると退車案内信号を出力する報知制御装置を設け、該退車案内信号を受けて退車案内をする発音器を設けている。このように、給油料金の精算が終わってから一定時間経過しても、給油エリアを自動車が占拠し続けている場合に退車案内がされるので、給油エリアを長い間占拠されることがなくなり、給油所の営業効率が向上する。
【図面の簡単な説明】
【図１】本発明が実施された給油所の全体を示す平面図である。
【図２】本発明が実施された給油所の一部を断面で示す斜視図である。
【図３】ＰＯＳの報知制御装置のフロー図である。
【符号の説明】
Ｓ  給油所
Ｍ  アイランド
Ｔ  建屋
１  進入路
２  給油エリア
３  退出路
４  計量機
４ａ  給油管
４ｂ  ポンプ
４ｃ  流量計
４ｄ  給油ノズル
４ｅ  給油ホース
４ｆ  ノズル掛け
４ｇ  ノズルスイッチ
４ｈ  給油量表示器
４ｉ  制御部
５  走行可否表示機
５ａ  支柱
５ｂ  表示体
６  ＰＯＳ
６ａ  キーボード
６ｂ  表示器
６ｃ  プリンタ
６ｄ  報知制御装置
７  発音器
８  第一の給油状態報知器
８ａ  ケース
８ｂ  計量機番号
８ｃ  表示灯
８ｄ  発音器
９  第二の給油状態報知器
９ａ  表示灯
９ｂ  発音器
１０  車検知器
１１  信号線
【図１】
0003743116.tif 000002
【図２】
0003743116.tif 000003
【図３】
0003743116.tif 000004